【事件の表示】
　特願２００８−１７２８５８「端末装置およびそのディスプレイのバックライト点灯方法」拒絶査定不服審判事件〔平成２２年１月２１日出願公開、特開２０１０−１４８２７〕について、次のとおり審決する。
【結　論】
　本件審判の請求は、成り立たない。
【理　由】
第１　手続の経緯
　この審判事件に関する出願（以下、「本件出願」という。）は、平成２０年７月２日にされた特許出願である。そして、平成２５年３月２６日付けで拒絶査定がされ、同年４月２日に査定の謄本が送達された。
　これに対して、同年７月２日に拒絶査定不服審判が請求され、同時に明細書及び特許請求の範囲についての補正（以下、「本件補正」という。）がされた。
　
第２　本件補正の却下の決定
［結論］
　本件補正を却下する。
　
［理由］
１．本件補正の内容
　本件補正は、本件補正前の特許請求の範囲の請求項１を以下のように補正することを含む。なお、下線は、請求人が付したものであり、補正箇所を示す。
　
（本件補正前）
「【請求項１】
　情報を表示するディスプレイと、
　前記ディスプレイのバックライトの輝度を制御するバックライト制御手段と、
　周囲の明るさを検出する照度センサと、
　筐体の開閉を検出する開閉検出手段と、
　所定の輝度値および照度に対する輝度補正値が格納されるメモリと、
　前記ディスプレイ、バックライト制御手段、照度センサ、開閉検出手段およびメモリを制御する制御手段とを含み、
　前記制御手段は前記開閉検出手段より筐体の閉状態から開状態への変化を検出すると、前記メモリから所定の輝度値を読出し、前記バックライト制御手段にその輝度値で前記ディスプレイのバックライトを点灯させ、その後前記照度センサで検出される周囲の明るさおよび前記メモリに格納される照度に対する輝度補正値に従い前記バックライト制御手段に前記ディスプレイのバックライトの輝度を変化させることを特徴とする端末装置。」
　
（本件補正後）
「【請求項１】
　情報を表示するディスプレイと、
　前記ディスプレイのバックライトの輝度を制御するバックライト制御手段と、
　周囲の明るさを検出する照度センサと、
　筐体の開閉を検出する開閉検出手段と、
　所定の輝度値および照度に対する輝度補正値が格納されるメモリと、
　前記ディスプレイ、バックライト制御手段、照度センサ、開閉検出手段およびメモリを制御する制御手段とを含み、
　前記制御手段は前記開閉検出手段より筐体の閉状態から開状態への変化を検出すると、前記メモリから所定の輝度値を読出し、前記バックライト制御手段にその輝度値で前記ディスプレイのバックライトを点灯させ、その後前記照度センサで検出される周囲の明るさおよび前記メモリに格納される照度に対する輝度補正値に従い前記バックライト制御手段に前記ディスプレイのバックライトの輝度を
前記所定の輝度値より大となる値に
　
　本件補正のうち、請求項１についての補正は、「前記ディスプレイのバックライトの輝度」の「変化」が「所定の輝度値より大となる値」への「変化」である旨の限定を付加するものであるから、いわゆる特許請求の範囲の限定的減縮を目的とするものに該当する。
　この場合、本件補正後の請求項１に係る発明（以下、「本件補正発明」という。）は、特許出願の際独立して特許を受けることができるものでなければならない。
　しかし、以下に述べるとおり、本件補正発明は、本件出願前に日本国内又は外国において頒布された刊行物に記載された発明に基づいて、本件出願前にその発明の属する技術の分野における通常の知識を有する者が容易に発明をすることができたものであるから、特許法第２９条第２項の規定により特許出願の際独立して特許を受けることができない。
　
２．刊行物に記載された事項
　以下に掲げる刊行物１及び２は、いずれも、本件出願前に日本国内又は外国において頒布された刊行物であり、原査定の拒絶の理由に引用された刊行物である。
　
　　刊行物１：特開２００４−３５７１９３号公報
　　刊行物２：特開２００５−１８１５６２号公報
　
（１）刊行物１
ア．刊行物１の記載
　刊行物１には、以下の記載がある。
　
（ア）段落０００６から０００９まで
「【０００６】
【発明の実施の形態】
以下、本発明の実施形態につき、図面を用いて説明する。
図１は、本発明の携帯型情報端末１の概観図（折りたたみ式）を示す。図１（ａ）が折りたたみを開いたときの状態、図１（ｂ）が折りたたみを閉じたときの状態を示す。携帯型情報端末１は、折りたたむ上下２つの部分をヒンジ機構などにより連結してある。該２つの部分のうちの一方の側には、アンテナ２、受話部３、メイン表示画面４などが配置される。メイン表示画面４は、ユーザに対して各種情報を表示するための主画面であり、一般的に端末を開いた状態で確認可能となる。画面には、例えば電波の受信状況、メール受信の有無、バッテリ残量などの情報や、日時情報などが表示される。また、他方の部分には、操作キー６、送話用のマイク７などが配置される。ユーザは操作キー６を用いて、文字や数字などの入力を行う。また、折りたたみ式の携帯型情報端末１には、端末の開閉を検出するための開閉検出手段５が配置されており、端末の開閉に応じてスイッチのオン、オフなどが行われる。図１（ｂ）に示すサブ表示画面８は、端末を閉じた外側に設けられる表示部であり、端末を閉じた状態で着信状況や電波の受信状況、メール受信の有無、バッテリ残量などの情報を確認可能である。
　【０００７】
本実施例で説明する携帯型情報端末には、周囲の明るさを検出する光センサ９が装備されている。光センサ９を配置する位置は、携帯型情報端末を開いた図１（ａ）の状態においても、また携帯型情報端末を閉じた図１（ｂ）の状態においても、周囲の明るさを適切に検出できる位置が望ましい。折りたたみ式の携帯型情報端末の場合、端末を利用しないときには折りたたんだ状態とされる場合が多い。通常、折りたたみを閉じた状態では端末の無線電話部が間欠受信動作を行っており、送信機能やメイン表示画面４などはオフとなる。また、端末を開いた図１（ａ）の状態で、例えばしばらく放置した場合にも、間欠動作や不要構成部分への電力遮断、あるいはＣＰＵ（主制御マイクロプロセッサ）に供給されるクロックの低速化などが行われ、消費電流が削減される。
　【０００８】
図２は、本発明の実施形態にかかる携帯型情報端末の構成例図である。各処理機能は、主として、ＣＰＵ等の制御マイクロプロセッサである端末制御部１６により制御される。端末制御部１６は、記憶装置１９に記憶した制御プログラム（ソフトウェア）を実行することによって制御を行う。記憶装置１９は、上記制御プログラムの他に、処理データも記憶することができる。携帯型情報端末１における電話回線の発着信制御は、電話アンテナ２０と無線制御部２１によって行われる。無線制御部２１は会話などの基本的な信号の送受信を制御しており、電話アンテナ２０により基地局への電波の送受信を行う。呼出し音制御部１２は、着信時にスピーカ１１からの呼出し音の出力などを制御する。
　【０００９】
一方、携帯型情報端末とユーザとの直接的なインターフェースは、操作キー１７、各種情報表示用のＬＣＤ１８を用いて行われる。さらに、操作キー１７及びＬＣＤ１８を使い易くするために、ＬＥＤ制御部１５が備わっている。ＬＥＤ制御部１５は、キーＢＬ（キーバックライト）１３とＬＣＤＢＬ（ＬＣＤバックライト）１４を制御しており、これによりユーザは、暗い場所においても携帯型情報端末の画面確認あるいはキー入力操作を行うことが可能となる。
光センサ９と明るさ検出部２２により取得した携帯型情報端末周囲の明るさ情報は、閾値制御手段２３により、明るさの状態として適切に判別処理される。また、閾値制御手段２３は、明るさ判別用の閾値情報などを、必要に応じて記憶装置１９から読出したり、記憶装置１９に保存したりする。」
　
（イ）段落００１０から００１２まで
「【００１０】
図３は、閾値テーブル情報の説明図である。閾値テーブルは、光センサが検出した携帯型情報端末周囲の明るさと、その明るさに応じて実行する処理内容との相関関係を記述したテーブルである。
図３（ａ）は閾値テーブルの構成例を示し、図３（ｂ）は、閾値と明るさ状態レベルとの関係を示す。閾値テーブル３０には、各状態に対して、ルクス（ｌｘ）で表される照度、及び該照度をＡＤ変換して表されるＡＤ変換値と、ＢＬ設定データ、着信音量設定データがそれぞれ対応付けて示されている。例えば、光センサの検出値が約３（ＡＤ変換値）であった場合、状態はレベル１（暗い）と判定され、ＢＬの輝度は３０％に設定される。また、このレベル１の状態において着信があった場合には、標準的な大きさで着信音が再生される。ここで光センサの検出値が変化し、状態レベルが２に移った場合、ＢＬの輝度は６０％に設定し直され、レベル１のときに比べて表示画面は明るくなる。なお、閾値テーブルの各値や構成はこれに限るものではなく、自由に設定してもよい。例えば、暗から明になるに従い、ＢＬ設定を暗くしていくなどとしてもよい。
　【００１１】
図４は、図３（ｂ）に対して、光センサ検出値の時間変動を模式的に示した図である。横軸が時間、縦軸が明るさレベルを示している。光センサの検出値４０は、周囲の明るさに応じて時々刻々とレベルが変動する。図４の例の場合、ポイント４１とポイント４２の間の区間ｔ１秒は、光センサの検出値が閾値２の近傍を上下動している。このとき、明るさの状態は、レベル２とレベル３の間を変動する動きとなる。従来は、該変動にそのまま対応してバックライトの明るさなどを制御したため、周囲の明るさがあまり変化していないのに、画面の明るさを頻繁に変えることになり、画面を見づらくしていた。
　【００１２】
図５は、本発明の実施形態にかかる携帯型情報端末における閾値テーブルの構成例を示す。上記図３と同一機能部分に関しては、特に必要のない限りその説明を省略する。本図５の閾値テーブル５０において、上記図３の閾値テーブル３０と異なる点は、各レベルの境界に、遷移レベル領域を設けた点である。具体的には、レベル１とレベル２の間すなわち閾値Ｌ１とＨ１の間に遷移ｍ１状態を、レベル２とレベル３の間すなわち閾値Ｌ２とＨ２の間に遷移ｍ２状態を設けている。光センサの検出値が、この遷移状態の領域にある場合、表示画面や操作キーのＢＬ（バックライト）設定は前回設定された値を維持し続ける。例えば、レベル２の状態から、光センサ検出値が閾値Ｌ２を超えた場合、状態は遷移ｍ２に移るが、ＢＬ設定はレベル２の６０％のまま維持される。」
　
（ウ）段落００１３から００１６まで
「【００１３】
図６は、本発明の実施形態にかかる携帯型情報端末において、光センサの検出値に応じてバックライト（ＢＬ）の輝度（明るさ）を制御する動作の基本的な手順を示す。本図６では、図５の閾値テーブルに関連した処理手順につき説明する。
図６において、ステップＳ１０１は、ユーザが携帯型情報端末の操作キー６を押下したことを検出する処理である。キーが押されるとステップＳ１０２に移行し、光センサの検出値（ｔｈ）を取得する。ステップＳ１０３は、予め記憶装置に保存してある閾値テーブルを読み込む処理であり、ステップＳ１０４以降、取得値（ｔｈ）と閾値テーブル情報との比較処理が実行される。なお、ここでは閾値テーブルを予め作成・保存しておく場合について説明するが、閾値テーブルの値を動的に変化させるようにしてもよい。
　【００１４】
ステップＳ１０４は、光センサ検出値（ｔｈ）と閾値Ｌ１を比較する処理である。光センサ検出値（ｔｈ）が閾値Ｌ１以下であった場合、ステップＳ１０５に移行して、明るさ状態レベルの保持を行う。このときの状態はレベル１（暗）となる。ステップＳ１０６は、レベルに応じたＢＬ輝度を設定する処理であり、先にステップＳ１０３で読み込んだ閾値テーブル情報５０を参照して設定値が決められる。本実施例の場合、レベル１ならＢＬ輝度は３０％である。
上記ステップＳ１０４において、光センサ検出値（ｔｈ）が閾値Ｌ１よりも大きかった場合、他の閾値との判定処理を続ける。ステップＳ１０８は、閾値Ｈ１との判定処理である。ここで、光センサ検出値（ｔｈ）が閾値Ｈ１よりも大きいならば、ステップＳ１１０に進んで、さらに閾値Ｌ２との判定処理を行う。光センサ検出値（ｔｈ）が閾値Ｌ２以下であった場合、状態はレベル２（普通）であり、ステップＳ１１１において状態レベルが保持される。ステップＳ１１２は、状態レベルが２か否かを確認判定する処理であり、先に保持したレベルが２である場合は、ステップＳ１１３に移行して、ＢＬ輝度を６０％に設定する。
　【００１５】
一方、ステップＳ１０８において、光センサ検出値（ｔｈ）が閾値Ｈ１以下であった場合、閾値がＬ１とＨ１の間の遷移ｍ１状態と判定される。この場合、ステップＳ１０８からステップＳ１０９に移行して、ＢＬが既にＯＮされているか否かの確認を行う。もしＢＬがＯＮされていないならば、初期状態と判定され、ステップＳ１１１において明るさの状態レベルを２に設定する。ＢＬが既にＯＮされている場合は、前回設定したレベルが維持されるため、ステップＳ１１１の処理は実行されない。
この遷移ｍ１状態の場合、ステップＳ１１２の判定処理は、レベル１かレベル２のいずれかとなる。すなわち、前回の設定値がレベル１であった場合には、ステップＳ１１２からステップＳ１０６へと移行して、ＢＬ輝度がレベル１の３０％を維持するように設定が行われる。同様に、状態レベルが３（明）の場合は、ステップＳ１１４において、光センサ検出値（ｔｈ）が閾値Ｈ２よりも大きいと判定され、ステップＳ１１６でレベル３が保持される。ステップＳ１１７は、状態レベルが３か否かを確認判定する処理であり、先に保持したレベルが３である場合は、ステップＳ１１８に以降して、ＢＬ輝度を１００％に設定する。
　【００１６】
また、遷移ｍ２状態の場合は、ステップＳ１１４において光センサ検出値（ｔｈ）が閾値Ｈ２以下と判定され、ステップＳ１１５に移行する。ステップＳ１１５では、ＢＬが既にＯＮされているか否かの確認を行う。もしＢＬがＯＮされていないならば、初期状態と判定され、ステップＳ１１６において明るさの状態レベルを３に設定する。ＢＬが既にＯＮされている場合は、前回設定したレベルが維持されるため、ステップＳ１１６の処理は実行されない。該遷移ｍ２状態の場合、ステップＳ１１７の判定処理は、レベル２かレベル３のいずれかとなり得る。例えば、前回の設定値がレベル２であった場合には、ステップＳ１１７からステップＳ１１３へと移行して、ＢＬ輝度を６０％に維持設定する。最終的にステップＳ１０７において、各々のレベルに合わせて設定されたＢＬ輝度に基づいて、ＢＬ点灯処理が行われる。
なお、上記動作例では、キー押下があった場合に光センサの検出値を取得する場合としたが、本発明はこれに限らず、キー押下がなされない状態のときに定期的に光センサ検出値を取得するような構成としてもよい。また、ステップＳ１０１を、キー押下以外の外部スイッチ操作や、着信、アラーム起動などのイベント発生を契機として行うようにしてもよい。また、以上は、主にＢＬ輝度の状態変化につき説明したが、図６に示す処理の順序や構成はこれに限るものではない。」
　
イ．刊行物１に記載された発明（引用発明）
（ア）刊行物１には、ユーザに対して各種情報を表示するメイン表示画面４と、端末の開閉を検出する開閉検出手段５と、操作キー６と、周囲の明るさを検出する光センサ９とを備える折りたたみ式の携帯型情報端末１が記載されている（段落０００６及び０００７並びに図１）。
　開閉検出手段５は、端末の開閉に応じてスイッチのオン、オフなどを行うためのものである（段落０００６）。一方、メイン表示画面４は、携帯型情報端末１の折りたたみを閉じた状態でオフになる（段落０００７）。これらのことから、メイン表示画面４は、携帯型情報端末１が閉じられたこと又は開かれたことが開閉検出手段５によって検出されると、オフ又はオンになると認められる。
　
（イ）携帯型情報端末１は、ユーザとの直接的なインターフェースを行うための各種情報表示用のＬＣＤ１８と、ＬＣＤ１８を使いやすくするためにバックライト１４を制御するＬＥＤ制御部１５を備える（段落０００９）。
　ＬＣＤ１８が表示画面を備え、その表示画面がメイン表示画面４となることは、明らかである。また、メイン表示画面４のオン又はオフは、ＬＥＤ制御部１５がバックライト１４をオン又はオフにすることによって行われることも、明らかである。
　
（ウ）携帯型情報端末１は、さらに、制御プログラム及び処理データを記憶する記憶装置１９と、記憶装置１９に記憶した制御プログラムを実行することにより携帯型情報端末１の各処理機能を制御する端末制御部１６と、明るさ検出部２２と、閾値制御手段２３とを備える（段落０００８及び０００９並びに図２）。
　光センサ９及び明るさ検出部２２は、携帯型情報端末１の周囲の明るさ情報を取得する（段落０００９）。
　閾値制御手段２３は、明るさ判別用の閾値情報を記憶装置１９から読み出し、明るさ情報から明るさの状態を判別処理する（段落０００９）。
　
（エ）記憶装置１９には、あらかじめ閾値テーブルが保存されている（段落００１３）。
　閾値テーブルは、光センサが検出した携帯型情報端末１の周囲の明るさと、その明るさに応じて実行する処理内容との相関関係を記述したテーブルであり、具体的には、周囲の明るさと、バックライト１４の輝度として設定すべき値との対応関係を記述したテーブルである（段落００１０から００１２まで並びに図３及び５）。
　そうすると、閾値制御手段２３が記憶装置１９から読み出す明るさ判別用の閾値情報とは、具体的には、周囲の明るさとバックライト１４の輝度として設定すべき値との対応関係であることが分かる。
　
（オ）携帯型情報端末１では、操作キー６が押し下げられると、光センサ９の検出値と閾値テーブルから読み込んだデータとに基づいて、バックライト１４の輝度を１００％、６０％又は３０％に設定する制御が行われる（段落００１３から００１６まで及び図６）。
　ＬＥＤ制御部１５がバックライト１４をオン又はオフにすること（上記（イ））を踏まえると、バックライト１４の輝度を設定する制御も、ＬＥＤ制御部１５によって行われると認められる。
　
（カ）以上のことを踏まえて、上記ア．（ア）から（ウ）までの記載と、図１から３まで、５及び６に示された事項とを総合すると、刊行物１には、以下の発明（以下、「引用発明」という。）が記載されている。
　
「各種情報表示用のＬＣＤ１８と、
　ＬＣＤ１８のバックライト１４を制御するＬＥＤ制御部１５と、
　周囲の明るさ情報を取得する光センサ９及び明るさ検出部２２と、
　端末の開閉を検出する開閉検出手段５と、
　周囲の明るさとバックライト１４の輝度として設定すべき値との対応関係を記述する閾値テーブルが保存された記憶装置１９と、
　各処理機能を制御する端末制御部１６とを備え、
　端末が開かれたこと又は閉じられたことを開閉検出手段５が検出すると、ＬＥＤ制御部１５がバックライト１４をオン又はオフにし、
　操作キー６が押し下げられると、光センサ９及び明るさ検出部２２から周囲の明るさ情報を取得し、閾値制御手段２３が周囲の明るさとバックライト１４の輝度として設定すべき値との対応関係を記憶装置１９から読み出し、ＬＥＤ制御部１５が周囲の明るさ情報と対応関係とに基づいてバックライト１４の輝度を１００％、６０％又は３０％に設定する
　携帯型情報端末１。」
　
（２）刊行物２
ア．刊行物２の記載
　刊行物２には、以下の記載がある。
　
（ア）段落０００１
「【０００１】
　本発明は、表示の調光を制御する調光制御装置、その方法、そのプログラム、そのプログラムを記録した記録媒体、および、表示制御装置に関する。」
　
（イ）段落００１３及び００１４
「【００１３】
　以下、本発明に係る一実施の形態を図面に基づいて説明する。本実施の形態では、本発明の調光制御装置を備えたナビゲーション装置を例示して説明するが、この限りではなく、表示の輝度を制御するいずれの構成でも適用できる。図１は、一実施の形態におけるナビゲーション装置の概略構成を示すブロック図である。
　【００１４】
　図１において、１００はナビゲーション装置である。このナビゲーション装置１００は、移動体である例えば車両の移動状況に対応して移動に関する案内を報知する装置である。なお、移動体としては、車両に限らず、航空機、船舶などいずれの移動体が対象となる。また、ナビゲーション装置１００としては、例えば移動体としての車両に搭載される車載型、携帯型、ＰＤＡ（Personal Digital Assistant）、携帯電話、ＰＨＳ（Personal Handyphone System）、携帯型パーソナルコンピュータなどが例示できる。ナビゲーション装置１００は、このナビゲーション装置１００が有する地図情報に基づいて、現在位置や目的地に関する情報、目的地までのルート探索や表示、最寄りの所定の店舗の検索やその表示あるいは店舗のサービス内容に関する情報の表示などを実施する。そして、このナビゲーション装置１００は、図１に示すように、本体部２００と、表示制御装置３００と、を備えている。そして、本体部２００は、センサ部２１０と、ＶＩＣＳ（Vehicle Information Communication System：道路交通情報通信システム）受信部２２０と、端末入力部２３０と、音声出力部２４０と、記憶手段２５０と、メモリ２６０と、処理部２７０と、などを備えている。」
　
（ウ）段落００２４から００３０まで
「【００２４】
　一方、表示制御装置３００は、本体部２００に接続され、本体部２００の処理部２７０による制御にて動作可能となっている。そして、表示制御装置３００は、図２に示すように、筐体３１０を備えている。この筐体３１０は、例えば合成樹脂などにより図示しない内部空間を有した略箱状に形成され、正面略中央には表示窓３１１が開口形成されている。そして、この筐体３１０内には、本発明の調光制御装置４００が配設されている。具体的には、筐体３１０には、図１に示すように、表示制御装置３００を構成する、表示装置（表示手段）としての画像表示装置３２０と、入出力手段としての端末操作手段３３０と、受光手段としての受光装置３４０と、Ａ／Ｄ（アナログ／デジタル）コンバータ３５０と、調光手段としての輝度制御装置３６０と、調光制御手段としてのマイクロコンピュータ（以下、マイコンと称する。）３７０と、を備えている。そして、本発明の調光制御装置４００は、端末操作手段３３０と、受光装置３４０と、輝度制御装置３６０と、マイコン３７０にて構成され、例えば図示しない回路基板上に構成されている。
　【００２５】
　画像表示装置３２０は、マイコン３７０に制御され、図２に示すようにマイコン３７０から出力される画像データを画面表示する表示面３２１を有し、この表示面３２１が筐体３１０の表示窓３１１に臨んで筐体３１０内に配設されている。画面表示する画像データとしては、例えば、本体部２００のメモリ２６０や記憶手段２５０に記憶されている地図情報や検索情報などの画像データであり、処理部２７０を介してマイコン３７０に供給される画像データである。画像表示装置３２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
　【００２６】
　端末操作手段３３０は、例えば図２に示すように、筐体３１０の正面に複数設けられた操作ボタンや操作つまみなどの端末操作部３３１と、さらには画像表示装置３２０の表示面３２１に設けられたタッチパネル３３２とを有している。これら端末操作部３３１やタッチパネル３３２の入力操作の内容としては、例えば端末入力部２３０と同様に、ナビゲーション装置１００の動作内容の設定や表示状態の設定などの設定事項である。そして、端末操作部３３１およびタッチパネル３３２は、設定事項の入力操作により、所定の信号をマイコン３７０へ適宜出力して設定させる。なお、図２は、表示される入力操作を促す６つの入力設定項目３２２を有した表示画面が表示された例示を示す。
　【００２７】
　受光装置３４０は、例えば図２に示すように、筐体３１０の正面あるいは上面などに設けられた検出窓３１２に臨んで配設された受光センサ３４１を備えている。そして、受光装置３４０は、受光センサ３４１にて表示制御装置３００周辺の光を受光することによりその照度を検出し、照度に対応した所定の検出信号をＡ／Ｄコンバータ３５０へ出力する。例えば、昼間などにおいて受光する外光の量が多い場合には、表示制御装置３００周辺の照度が高い旨の検出信号を生成し、例えば、夜間でかつ屋外において受光する外光が少ない場合には、表示制御装置３００周辺の光の照度が低い旨の検出信号を生成する。検出信号は、例えば、受光する外光の量のレベルに応じたものとして生成される。
　【００２８】
　Ａ／Ｄコンバータ３５０は、受光装置３４０から出力されるアナログ信号の検出信号を取得し、デジタル信号に変換する。そして、Ａ／Ｄコンバータ３５０は、変換したデジタル信号の検出信号をマイコン３７０へ出力する。
　【００２９】
　輝度制御装置３６０は、マイコン３７０に接続され、マイコン３７０から出力される制御信号に基づいて、画像表示装置３２０で画像データを画面表示する際の輝度を調整する。輝度制御装置３６０は、所定の輝度を示すあらかじめ設定された輝度調整初期値を有し、マイコン３７０からの制御信号に基づいて現在設定されている輝度の値を輝度調整初期値に変更して新たな輝度調整値として画像表示装置３２０へ出力し、輝度調整値に対応する輝度で画像データを画像表示装置３２０で表示させる制御をする。
　【００３０】
　マイコン３７０は、本体部２００の処理部２７０から出力される信号を取得して画像表示装置３２０で表示させる表示内容や表示状態を適宜制御する。具体的には、処理部２７０から出力される画像データを取得して画像表示装置３２０で画面表示させるために処理したり、上述したようにＡ／Ｄコンバータ３５０からの検出信号を取得して周辺の照度を認識し、画像表示装置３２０で画像データを表示させる輝度を輝度制御装置３６０で設定するために所定の制御信号を輝度制御装置３６０へ出力したりするなどの制御をする。また、マイコン３７０は、図示しない計時手段としてのタイマを備え、計時可能となっている。」
　
（エ）段落００３１から００３９まで
「【００３１】
　次に、ナビゲーション装置１００において輝度調整する動作について図面を参照して説明する。図３は、表示制御装置３００の輝度調整する処理を示すフローチャートである。
　【００３２】
　まず、車両に搭乗した利用者である搭乗者がナビゲーション装置１００の電源をオンし、電力を供給する。この電力の供給により、処理部２７０は、表示制御装置３００を制御してメインメニューを表示させ、利用者にナビゲーション装置１００に動作させる内容の設定入力を促す表示画面を表示制御装置３００に表示させる。具体的には、電源の供給により、処理部２７０が表示制御装置３００のマイコン３７０へ所定の制御信号を出力し、マイコン３７０があらかじめ設定された起動画面表示を画像表示装置３２０に表示させるとともに、起動するための処理をしつつメインメニュー画面に対応する画像データを表示させる制御をする。なお、この起動時、輝度制御装置３６０は輝度調整初期値を画像表示装置３２０へ出力し、初期設定の輝度で起動画面表示を画像表示装置３２０で表示する状態となっている。
　【００３３】
　そして、表示制御装置３００におけるメインメニューの画面表示により、ナビゲーション装置１００は、入力待機状態となるとともに、図３に示す調光制御を実施する。すなわち、マイコン３７０は受光装置３４０で表示制御装置３００周辺の光の照度を検出し、照度に対応した検出信号をＡ／Ｄコンバータ３５０でデジタル信号に適宜変換して読み取り、検出信号により表示制御装置３００周辺の光の照度を認識する。すなわち、受光装置３４０から出力される検出信号を入力する際の入力電圧を読み取る（ステップＳ１）。そして、マイコン３７０は、認識した照度に対応して輝度制御装置３６０に所定の制御信号を出力する。この入力電圧値は、表示制御装置３００周辺光の照度の大きさに比例している。つまり、受光装置３４０が受光する外光の量が多い場合には、生成される検出信号のレベルも大きくなり、それを入力する際の入力電圧値も大きくなる。逆に受光装置３４０が受光する外光の量が少ない場合には、生成される検出信号のレベルも小さくなり、それを入力する際の入力電圧値も小さくなる。よって、マイコン３７０は、入力される検出信号の入力電圧値を読取ることにより、表示制御装置３００周辺の光の照度がどのくらいのレベルなのかを認識することができ、その照度に対応した制御信号を出力する。
　【００３４】
　次に、マイコン３７０は、前回読み取った検出信号の入力電圧値と今回読み取った検出信号の入力電圧値とを比較する。そして、それらの入力電圧値の差が所定の閾値以上であるか否かを判断する。表示制御装置３００周辺の光の照度に変化が生じたか否かを判断する（ステップＳ２）。なお、この所定の閾値は適宜設定とされる。例えば、表示制御装置３００が屋外から屋内に移動した際の入力電圧値の差、や屋内の電気を付けたときと消したときの入力電圧値の差等を予め測定し、その測定値を表示制御装置３００周辺の光の照度が著しく変化したことを示す閾値としてマイコン３７０に設定しておく。そして、前回読み取った入力電圧値と今回読み取った入力電圧値の差をその閾値と比較することで、表示制御装置３００周辺光の照度が著しく変化したかを認識することができる。このステップＳ２において、マイコン３７０は、入力電圧値の変化を認識しない場合、端末操作手段３３０の入力操作があったか否かを判断する。すなわち、マイコン３７０は、入力操作された端末操作手段３３０から出力される信号の有無を判断する（ステップＳ３）。
　【００３５】
　一方、ステップＳ２において、マイコン３７０は、入力電圧値の変化を認識した場合、タイマにて計時する時間Ｔを所定の時間Ｔａに設定する（ステップＳ４）。なお、所定の時間Ｔａを設定する際にそれまで設定されていた時間Ｔがその所定の時間Ｔａより大きい場合（Ｔ＞Ｔａ）には、その設定されていた時間Ｔを有効とし、所定の時間Ｔａの設定は実施しない。この設定する時間Ｔａは、第１所定時間に相当し、例えば比較的に短い１秒程度である。この後、マイコン３７０は、ステップＳ３に進み、端末操作手段３３０の入力操作があったか否かを判断する。この所定の時間Ｔａは、利用者が端末操作手段３３０を操作することにより入力電圧値が変化されたのか否かを識別するために設定される時間である。つまり、入力電圧値の変化に応じた輝度の調整をこの所定の時間遅らせることにより、その所定の時間内における入力操作の有無を判断することができ、それ以降の輝度調整を規制するかを認識することが可能となる。
　【００３６】
　そして、ステップＳ３において、マイコン３７０は、入力操作がないと判断すると、入力待機状態となる。例えば、ステップＳ２で照度が変更していないと判断すると、利用者が案内誘導を利用せずに車両を走行させている、あるいはナビゲーション装置１００を動作させる内容を検討しているなどと判断する。また、ステップＳ２で照度が変更したと判断している場合には、車両が既に走行したり、表示制御装置３００の上方などに物が置かれるなどして光が遮られたりするなどして表示制御装置３００の周辺の光の照度が変更したものと判断する。このような判断により、マイコン３７０は、タイマで計時する時間をカウントダウンさせるタイマデクリメント処理を実施する（ステップＳ５）。
　【００３７】
　一方、ステップＳ３において、マイコン３７０は、入力操作があったと判断すると、利用者が画像表示装置３２０で表示されている内容に基づいて各種設定を実施していると判断し、計時する時間Ｔを所定の時間Ｔｂに設定する（ステップＳ６）。なお、所定の時間Ｔｂを設定する際にそれまで設定されていた時間Ｔが所定の時間Ｔｂより大きい場合（Ｔ＞Ｔｂ）には、その設定されていた時間Ｔを有効とし、所定の時間Ｔｂの設定は実施しない。この設定する時間Ｔｂは、第２所定時間に相当し、例えば一般的に次の入力操作をするまでにかかると予測される時間の５秒程度である。この後、マイコン３７０は、ステップＳ５に進んで、タイマデクリメント処理を実施する。
　【００３８】
　そして、ステップＳ５でカウントダウンを開始した後、マイコン３７０は、計時する時間ＴまたはＴａまたはＴｂが「０」になったか否かを判断する（ステップＳ７）。このステップＳ７において、マイコン３７０は、Ｔ＝０になっていないと判断した場合には、輝度制御装置３６０に所定の信号を出力し、輝度制御装置３６０から従前の輝度調整値を画像表示装置３２０に出力させ（ステップＳ８）、画像表示装置３２０は取得した輝度調整値に基づく輝度で表示する。すなわち、輝度制御装置３６０は、マイコン３７０により従前の輝度調整値を画像表示装置３２０に出力するように制御されることにより、輝度の調整が規制される。すなわち、従前の輝度調整値により輝度が設定されるため、実質的に輝度の調整（例えば、変更）は停止されることとなる。画像表示装置３２０は、画像データを従前の輝度で表示する。この後、再びステップＳ１に戻って、調光制御を繰り返す。
　【００３９】
　一方、ステップＳ７において、マイコン３７０は、計時する時間ＴまたはＴａまたはＴｂが「０」になったと判断した場合、例えばステップＳ２で表示制御装置３００周辺の光の照度が変更している場合には、変化した状況に関する情報を含む所定の信号を輝度制御装置３６０へ出力、あるいはステップＳ２で周辺の照度が変化していない場合には変化していない旨の情報を含む所定の信号を輝度制御装置３６０へ出力する。このマイコン３７０からの信号を取得した輝度制御装置３６０は、輝度調整値を演算する（ステップＳ９）。具体的には、ステップＳ２で照度が変化した状況に関する情報に基づいて、照度の明暗に対応して画像表示装置３２０で表示する輝度が明るくなるあるいは暗くなる状態の輝度調整値を演算して取得する。また、ステップＳ２で照度が変化していない旨の情報に基づいて、従前の輝度調整値を取得する。そして、ステップＳ８に進み、輝度制御装置３６０は、取得した輝度調整値を画像表示装置３２０へ出力し、画像表示装置３２０で輝度調整値に基づく輝度で表示させる。」
　
（オ）段落００４７から００４９まで
「【００４７】
〔実施形態の変形〕
　なお、本発明は、上述した各実施の形態に限定されるものではなく、本発明の目的を達成できる範囲で以下に示される変形をも含むものである。
　【００４８】
　すなわち、ナビゲーション装置１００を用いて説明したが、例えばテレビジョン装置やパーソナルコンピュータなど、受光装置３４０にて輝度調整される表示制御装置３００を備えたいずれの構成が適用できる。具体的には、発券機やキャッシュディスペンサなどにおける入力装置として利用することもできる。さらには、利用者が直接携帯する構成、例えば携帯電話やＰＨＳ（Personal Handyphone System）、ＰＤＡ（Personal Digital Assistant）、ノート型パーソナルコンピュータなどにも適用できる。
　【００４９】
　また、本体部２００と、表示制御装置３００とが別体の構成について説明したが、一体型のものにも適用できる。また、表示制御装置３００にマイコン３７０や端末操作手段３３０、輝度制御装置３６０を備えた一体型の構成として説明したが、例えば画像表示装置３２０とマイコン３７０や端末操作手段３３０、輝度制御装置３６０が別体の構成としても、さらには画像表示装置３２０の近傍に別途設けた受光装置３４０を配設する構成などとしてもよい。」
　
イ．刊行物２に記載された技術事項
（ア）刊行物２には、表示の調光を制御する調光制御装置を備えるナビゲーション装置１００が記載されている（段落０００１及び００１３）。
　
（イ）ナビゲーション装置１００は、本体部２００と表示制御装置３００とを備える（段落００１４及び図１）。
　
（ウ）表示制御装置３００は、画像表示装置３２０と、受光装置３４０と、輝度制御装置３６０とを備え、画像表示装置３２０は、例えば液晶表示パネルである（段落００２４、００２５及び００２７並びに図１及び２）。
　
（エ）輝度制御装置３６０は、受光装置３４０が検出した表示制御装置３００周辺の照度に応じた輝度で、画像表示装置３２０に画像データを表示させる（段落００２７から００２９まで）。
　具体的には、ナビゲーション装置１００の電源がオンされると、輝度制御装置３６０は、まず、輝度調整初期値を画像表示装置３２０に出力し、画像表示装置３２０は、初期設定の輝度で起動画面を表示する（段落００３２）。次に、輝度制御装置３６０は、受光装置３４０で検出された表示制御装置３００周辺の照度に基づいて輝度調整値を演算して画像表示装置３２０に出力し、画像表示装置３２０は、輝度調整値に基づく輝度で画像データを表示する（段落００３３から００３９まで及び図３）。
　
（オ）ナビゲーション装置１００に代えて、携帯電話に調光制御装置を設けることも可能であり、また、本体部２００及び表示制御装置３００は、一体型の構成でもよい（段落００４８及び００４９）。
　したがって、刊行物２には、調光制御装置を備える携帯電話１００であって、本体部２００と表示制御装置３００との区別がない一体型の携帯電話１００も記載されているといえる。そのような携帯電話１００では、表示制御装置３００ではなく、携帯電話１００自体が画像表示装置３２０、受光装置３４０及び輝度制御装置３６０を備えるということができる。
　
（カ）以上のことを踏まえて、上記ア．（ア）から（オ）までの記載と、図１から３までに示された事項とを総合すると、刊行物２には、以下の技術事項が記載されている。
　
「液晶表示パネルである画像表示装置３２０と、受光装置３４０と、輝度制御装置３６０とを備える携帯電話において、電源がオンされたとき、輝度制御装置３６０が輝度調整初期値を画像表示装置３２０に出力し、画像表示装置３２０が初期設定の輝度で起動画面を表示した後、受光装置３４０で検出された携帯電話周辺の照度に基づいて輝度制御装置３６０が輝度調整値を演算して画像表示装置３２０に出力し、画像表示装置３２０が輝度調整値に基づく輝度で画像データを表示する。」
　
３．対比
　本件補正発明と引用発明とを対比すると、以下のとおりである。
　
（１）引用発明の「各種情報表示用のＬＣＤ１８」は、本件補正発明の「情報を表示するディスプレイ」に相当する。
　
（２）引用発明の「バックライト１４」は、本件補正発明の「バックライト」に相当する。
　引用発明の「ＬＥＤ制御部１５」は、「バックライト１４をオン又はオフにし」、「バックライト１４の輝度を１００％、６０％又は３０％に設定する」から、「バックライト１４」の輝度を制御するものである。
　したがって、引用発明の「ＬＣＤ１８のバックライト１４を制御するＬＥＤ制御部１５」は、本件補正発明の「前記ディスプレイのバックライトの輝度を制御するバックライト制御手段」に相当する。
　
（３）引用発明の「周囲の明るさ情報を取得する光センサ９及び明るさ検出部２２」及び「端末の開閉を検出する開閉検出手段５」は、それぞれ本件補正発明の「周囲の明るさを検出する照度センサ」及び「筐体の開閉を検出する開閉検出手段」に相当する。
　
（４）引用発明の「周囲の明るさ」及び「記憶装置１９」は、それぞれ本件補正発明の「照度」及び「メモリ」に相当する。
　本件補正発明の「照度に対する輝度補正値」は、「周囲の明るさおよび…照度に対する輝度補正値に従い…前記ディスプレイのバックライトの輝度を…変化させる」ために用いられるから、「照度」と「前記ディスプレイのバックライトの輝度」との対応関係を表すものである。
　そうすると、引用発明の「周囲の明るさとバックライト１４の輝度として設定すべき値との対応関係を記述する閾値テーブル」は、本件補正発明の「照度に対する輝度補正値」に相当する。
　したがって、引用発明の「周囲の明るさとバックライト１４の輝度として設定すべき値との対応関係を記述する閾値テーブルが保存された記憶装置１９」と、本件補正発明の「所定の輝度値および照度に対する輝度補正値が格納されるメモリ」とは、「照度に対する輝度補正値が格納されるメモリ」である点で共通する。
　
（５）引用発明の「各処理機能を制御する端末制御部１６」は、本件補正発明の「前記ディスプレイ、バックライト制御手段、照度センサ、開閉検出手段およびメモリを制御する制御手段」に相当する。
　
（６）引用発明の「携帯型情報端末１」は、本件補正発明の「端末装置」に相当する。
　
（７）本件補正発明において、「前記開閉検出手段より筐体の閉状態から開状態への変化を検出する」のは、明らかに、筐体を閉状態から開状態にするという操作がされるときである。
　そうすると、引用発明において、「操作キー６が押し下げられる」ことと、本件補正発明において、「前記開閉検出手段より筐体の閉状態から開状態への変化を検出する」こととは、何らかの操作がされることである点で共通する。
　
（８）引用発明において、「光センサ９及び明るさ検出部２２から周囲の明るさ情報を取得し、閾値制御手段２３が周囲の明るさとバックライト１４の輝度として設定すべき値との対応関係を記憶装置１９から読み出し、ＬＥＤ制御部１５が周囲の明るさ情報と対応関係とに基づいてバックライト１４の輝度を１００％、６０％又は３０％に設定する」ことと、本件補正発明において、「前記照度センサで検出される周囲の明るさおよび前記メモリに格納される照度に対する輝度補正値に従い前記バックライト制御手段に前記ディスプレイのバックライトの輝度を前記所定の輝度値より大となる値に変化させる」こととは、「前記照度センサで検出される周囲の明るさおよび前記メモリに格納される照度に対する輝度補正値に従い前記バックライト制御手段に前記ディスプレイのバックライトの輝度を変化させる」ことである点で共通する。
　
（９）以上のことをまとめると、本件補正発明と引用発明との一致点及び相違点は、以下のとおりである。
　
（一致点）
「情報を表示するディスプレイと、
　前記ディスプレイのバックライトの輝度を制御するバックライト制御手段と、
　周囲の明るさを検出する照度センサと、
　筐体の開閉を検出する開閉検出手段と、
　照度に対する輝度補正値が格納されるメモリと、
　前記ディスプレイ、バックライト制御手段、照度センサ、開閉検出手段およびメモリを制御する制御手段とを含み、
　前記制御手段は何らかの操作がされると、前記照度センサで検出される周囲の明るさおよび前記メモリに格納される照度に対する輝度補正値に従い前記バックライト制御手段に前記ディスプレイのバックライトの輝度を変化させる端末装置。」
　
（相違点１）
　本件補正発明では、「何らかの操作がされる」ことが、「前記開閉検出手段より筐体の閉状態から開状態への変化を検出する」ことであるのに対し、引用発明では、「何らかの操作がされる」ことが、「操作キー６が押し下げられる」ことである点。
　
（相違点２）
　本件補正発明では、さらに「所定の輝度値」が「メモリ」に格納されており、「前記メモリから所定の輝度値を読出し、前記バックライト制御手段にその輝度値で前記ディスプレイのバックライトを点灯させ、その後」にバックライトの輝度を「前記所定の輝度値より大となる値に」変化させるのに対し、引用発明では、そのようになっていない点。
　
４．判断
（１）相違点１について
　刊行物１には、光センサの検出値の取得の契機は、キーの押し下げに限定されず、キー以外の外部スイッチの操作や、着信、アラーム起動などのイベント発生であってもよい旨の記載がある（段落００１６）。
　したがって、引用発明において、「操作キー６が押し下げられる」ことに代えて、何らかのイベント発生を「光センサ９及び明るさ検出部２２から周囲の明るさ情報を取得」する契機として採用することは、刊行物１の上記記載に基づいて、当業者が容易に思い付くことである。
　ところで、引用発明において、「光センサ９及び明るさ検出部２２から周囲の明るさ情報を取得」するのは、「周囲の明るさ情報と対応関係とに基づいてバックライト１４の輝度を１００％、６０％又は３０％に設定する」ためである。そうすると、「操作キー６が押し下げられる」ことに代わるイベント発生として、バックライトの点灯に関連するものを選択することは、当業者にとって自明である。そして、引用発明は、「端末が開かれたこと又は閉じられたことを開閉検出手段５が検出すると、ＬＥＤ制御部１５がバックライト１４をオン又はオフに」するものであり、「端末が開かれたこと」を契機として「バックライト１４をオン」にする構成を備えているから、「操作キー６が押し下げられる」ことに代わるイベント発生として、「端末が開かれたこと…を開閉検出手段５が検出する」ことを選択することは、当業者が適宜行い得る設計事項にすぎない。
　この結果、相違点１に係る構成が得られることは、明らかである。
　
（２）相違点２について
ア．刊行物２に記載された技術事項の適用
　引用発明と刊行物２に記載された技術事項とは、ＬＣＤと光センサとを備える携帯型情報端末に関するものである点で共通する。また、ＬＣＤのバックライトの点灯の契機となる操作がされると、光センサで検出した周囲の明るさに応じてＬＣＤの輝度を変更するという動作の点でも共通する。そして、刊行物２に記載された技術事項は、この動作を、ＬＣＤの輝度を初期設定の輝度にするという動作の後で行うことを示唆するものである。
　したがって、引用発明において、「光センサ９及び明るさ検出部２２から周囲の明るさ情報を取得し、閾値制御手段２３が周囲の明るさとバックライト１４の輝度として設定すべき値との対応関係を記憶装置１９から読み出し、ＬＥＤ制御部１５が周囲の明るさ情報と対応関係とに基づいてバックライト１４の輝度を１００％、６０％又は３０％に設定する」という動作を、「バックライト１４の輝度」を初期設定の輝度とするという動作の後に行うようにすることは、刊行物２に記載された技術事項を適用することにより、当業者が容易に思い付くことである。
　初期設定の輝度をあらかじめ「記憶装置１９」に保存しておくことは、当業者が適宜行い得る設計事項にすぎない。
　この結果、刊行物２に記載された技術事項を引用発明に適用したものは、相違点２に係る構成のうち、「所定の輝度値」が「メモリ」に格納されており、「前記メモリから所定の輝度値を読出し、前記バックライト制御手段にその輝度値で前記ディスプレイのバックライトを点灯させ、その後」にバックライトの輝度を変化させる構成を備えることになる。
　
イ．「前記所定の輝度値より大となる値に」変化させる点について
　本件補正発明は、さらに、バックライトの輝度を「前記所定の輝度値より大となる値に」変化させる構成を備える。これは、刊行物２に記載された技術事項を引用発明に適用したものにおいて、初期設定の輝度より「周囲の明るさ情報と対応関係とに基づいてバックライト１４の輝度を１００％、６０％又は３０％に設定」した後の輝度の方が大きいことに相当する。
　刊行物２に記載された技術事項は、初期設定の輝度の大きさまで特定するものではないから、刊行物２に記載された技術事項を引用発明に適用したものにおける初期設定の輝度の大きさは、任意に定めることができる。したがって、「周囲の明るさ情報と対応関係とに基づいてバックライト１４の輝度を１００％、６０％又は３０％に設定」した後の輝度は、初期設定の輝度より大きいこともあれば、小さいこともある。
　しかし、本件出願の明細書及び図面の記載を参照しても、バックライトの輝度を「前記所定の輝度値より大となる値に」変化させる構成を備えることによって、本件補正発明が何らかの有利な効果を奏すると認めることはできない。
　そうすると、刊行物２に記載された技術事項を引用発明に適用したものにおいて、初期設定の輝度より「周囲の明るさ情報と対応関係とに基づいてバックライト１４の輝度を１００％、６０％又は３０％に設定」した後の輝度の方が大きい点には、格別の技術的意義を認めることはできず、この点は、初期設定の輝度の大きさを任意に定めたことの単なる結果にすぎない。
　
（３）判断のまとめ
　以上のとおりであるから、本件補正発明は、刊行物１に記載された発明（引用発明）と刊行物２に記載された技術事項とに基づいて、当業者が容易に発明をすることができたものである。したがって、本件補正発明は、特許法第２９条第２項の規定により特許出願の際独立して特許を受けることができない。
　
５．むすび
　本件補正は、特許法第１７条の２第６項において準用する同法第１２６条第７項の規定に違反するので、同法第１５９条第１項の規定において読み替えて準用する同法第５３条第１項の規定により却下すべきものである。
　
第３　本件出願に係る発明について
１．本件出願に係る発明
　本件補正は、上記のとおり却下されたので、本件出願の請求項１から１３までのそれぞれに係る発明は、本件補正前の特許請求の範囲の請求項１から１３までのそれぞれに記載された事項によって特定されるとおりのものである。特に、請求項１に係る発明（以下、「本件発明」という。）は、以下のとおりのものである。
　
「【請求項１】
　情報を表示するディスプレイと、
　前記ディスプレイのバックライトの輝度を制御するバックライト制御手段と、
　周囲の明るさを検出する照度センサと、
　筐体の開閉を検出する開閉検出手段と、
　所定の輝度値および照度に対する輝度補正値が格納されるメモリと、
　前記ディスプレイ、バックライト制御手段、照度センサ、開閉検出手段およびメモリを制御する制御手段とを含み、
　前記制御手段は前記開閉検出手段より筐体の閉状態から開状態への変化を検出すると、前記メモリから所定の輝度値を読出し、前記バックライト制御手段にその輝度値で前記ディスプレイのバックライトを点灯させ、その後前記照度センサで検出される周囲の明るさおよび前記メモリに格納される照度に対する輝度補正値に従い前記バックライト制御手段に前記ディスプレイのバックライトの輝度を変化させることを特徴とする端末装置。」
　
２．原査定の拒絶の理由
　本件発明に対する原査定の拒絶の理由は、概略以下のとおりである。
　
「本件発明は、本件出願前に日本国内又は外国において頒布された刊行物１及び２のそれぞれに記載された発明に基づいて、本件出願前にその発明の属する技術の分野における通常の知識を有する者が容易に発明をすることができたものであるから、特許法第２９条第２項の規定により特許を受けることができない。
　
　　刊行物１：特開２００４−３５７１９３号公報（前掲）
　　刊行物２：特開２００５−１８１５６２号公報（前掲）」
　
３．刊行物に記載された事項
　刊行物１に記載された発明（引用発明）は、上記「第２」２．（１）イ．（カ）に記載したとおりであり、刊行物２に記載された技術事項は、上記「第２」２．（２）イ．（カ）に記載したとおりである。
　
４．対比・判断
　本件発明は、本件補正発明から、「前記ディスプレイのバックライトの輝度」の「変化」が「所定の輝度値より大となる値」への「変化」である旨の限定を省いたものである。
　そして、本件発明の発明特定事項を全て含み、さらに上記の限定を含む本件補正発明は、上記「第２」３．から５．までに記載したとおり、刊行物１に記載された発明と刊行物２に記載された技術事項とに基づいて、当業者が容易に発明をすることができたものである。
　そうすると、本件発明も同様に、刊行物１に記載された発明と刊行物２に記載された技術事項とに基づいて、当業者が容易に発明をすることができたものである。
　
５．むすび
　以上のとおりであるから、本件発明は、特許法第２９条第２項の規定により特許を受けることができない。
　したがって、他の請求項に係る発明について審理するまでもなく、本件出願は拒絶すべきものである。
　よって、結論のとおり審決する。